(57)【要約】      （修正有）【課題】壁面に貼り付けられる吸音材・断熱材が様々な厚みに設定された場合であっても対応可能な配管支持具用台座を提供する。【解決手段】吸音材・断熱材が貼り付けられた壁面に、配管・配線を配設支持する配管支持具を取付ける配管支持具用台座１において、台座が、壁面に固定される固定板２１と、固定板から立設する多角形筒体である支持筒体２２と、を有する壁面固定部２と、配管支持具が固定されるフランジ板３１と、フランジ板から垂設する多角形筒体のスライド筒体３２と、を有する配管支持具固定部３と、を有し、支持筒体の内側又は外側にスライド筒体が重層状態に挿通して高さ調節可能にスライドする構成であり、支持筒体又は前記スライド筒体の一方に設けられた係止凹部２４と他方に設けられた係止凸部３３とは係止することにより吸音材・断熱材の表面と略同等高さに配管支持具を取付けることを可能とする。【選択図】図１
2020034118.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する多角形筒体である支持筒体と、を有する壁面固定部と、
配管支持具が載置状態で固定されるフランジ板と、該フランジ板から垂設する多角形筒体であるスライド筒体と、を有する配管支持具固定部と、
を有し、
前記支持筒体の内側に前記スライド筒体が重層状態で挿通される構成、又は前記スライド筒体の内側に前記支持体が重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体又は前記スライド筒体のいずれか一方の多角形筒体の側面の少なく一つの面に、前記吸音材・断熱材の厚み方向である縦方向に間隔を空けて複数個の係止凹部又は係止凸部が形成されており、
前記支持筒体又は前記スライド筒体のいずれか他方の多角形筒体の側面の少なくとも一つの面に、前記複数個の係止凹部の任意の箇所に入り込むことにより係止される係止凸部、又は前記複数個の係止凸部の任意の一つが入り込むことにより係止する係止凹部、が設けられており、
前記支持筒体に対して前記スライド筒体を、前記吸音材・断熱材の厚みに応じて厚み方向にスライドさせ、係止凹部と係止凸部との係止位置を選択して係止させることにより、前記吸音材・断熱材の表面と略同等高さに配管支持具を取付けることを可能とする構成であること、
を特徴とする配管支持具用台座。
【請求項２】
前記係止凹部と係止凸部との係止が、スライドする厚み方向である縦方向において２箇所以上で係止する構成であることを特徴とする請求項１に記載の配管支持具用台座。
【請求項３】
前記係止凸部が、前記支持筒体又は前記スライド筒体の一部を突出状態に突起加工して形成された構成であることを特徴とする請求項１又は２に記載の配管支持具用台座。
【請求項４】
前記係止凸部が、前記支持筒体又は前記スライド筒体の一部を切起して形成された構成であることを特徴とする請求項１又は２に記載の配管支持具用台座。
【請求項５】
前記係止凸部が、前記支持筒体又は前記スライド筒体にネジ頭やナットの如き他部材を取付固定して形成された構成であることを特徴とする請求項１又は２に記載の配管支持具用台座。
【請求項６】
前記係止凹部が、前記支持筒体又は前記スライド筒体の一部を陥没状態に加工して形成された凹溝であることを特徴とする請求項１〜５のいずれかに記載の配管支持具用台座。
【請求項７】
前記係止凹部が、前記支持筒体又は前記スライド筒体の一部を貫通状態に穿つことにより形成された透孔であることを特徴とする請求項１〜５のいずれかに記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する多角形筒体である支持筒体と、を有する壁面固定部と、
配管支持具が載置状態で固定されるフランジ板と、該フランジ板から垂設する多角形筒体であるスライド筒体と、を有する配管支持具固定部と、
を有し、
前記支持筒体の内側に前記スライド筒体が重層状態で挿通される構成、又は前記スライド筒体の内側に前記支持体が重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体又は前記スライド筒体のいずれか一方の多角形筒体の側面の少なく一つの面に、前記吸音材・断熱材の厚み方向である縦方向に間隔を空けて複数個の係止凹部又は係止凸部が形成されており、
前記支持筒体又は前記スライド筒体のいずれか他方の多角形筒体の側面の少なくとも一つの面に、前記複数個の係止凹部の任意の箇所に入り込むことにより係止される係止凸部、又は前記複数個の係止凸部の任意の一つが入り込むことにより係止する係止凹部、が設けられており、
前記支持筒体に対して前記スライド筒体を、前記吸音材・断熱材の厚みに応じて厚み方向にスライドさせ、係止凹部と係止凸部との係止位置を選択して係止させることにより、前記吸音材・断熱材の表面と略同等高さに配管支持具を取付けることを可能とする構成であること、
を特徴とする配管支持具用台座。
【０００９】
２．前記係止凹部と係止凸部との係止が、スライドする厚み方向である縦方向において２箇所以上で係止する構成であることを特徴とする上記１に記載の配管支持具用台座。
【００１０】
３．前記係止凸部が、前記支持筒体又は前記スライド筒体の一部を突出状態に突起加工して形成された構成であることを特徴とする上記１又は２に記載の配管支持具用台座。
【００１１】
４．前記係止凸部が、前記支持筒体又は前記スライド筒体の一部を切起して形成された構成であることを特徴とする上記１又は２に記載の配管支持具用台座。
【００１２】
５．前記係止凸部が、前記支持筒体又は前記スライド筒体にネジ頭やナットの如き他部材を取付固定して形成された構成であることを特徴とする上記１又は２に記載の配管支持具用台座。
【００１３】
６．前記係止凹部が、前記支持筒体又は前記スライド筒体の一部を陥没状態に加工して形成された凹溝であることを特徴とする上記１〜５のいずれかに記載の配管支持具用台座。
【００１４】
７．前記係止凹部が、前記支持筒体又は前記スライド筒体の一部を貫通状態に穿つことにより形成された透孔であることを特徴とする上記１〜５のいずれかに記載の配管支持具用台座。
【発明の効果】
【００１５】
請求項１に示す発明によれば、壁面に貼り付けられる吸音材・断熱材が様々な厚みに設定された場合であっても対応可能な配管支持具用台座を提供することができる。
【００１６】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の支持筒体に対して、配管支持具固定部の２枚のスライド筒体が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の係止凹部に係止凸部を係止させる構成によって耐振（耐震）性の向上、及びぐらつきの抑制効果が期待できる。
【００１７】
請求項２に示す発明によれば、厚み方向である縦方向に２つ以上設けられた係止凸部の各々が係止凹部に係止される構成を有するので、１つの係止の場合に生じ易い係止箇所を基点とするぐらつきを更に抑制することができる。従って、より安定した状態での支持固定が可能である。
【００１８】
請求項３に示す発明によれば、係止凸部が別部材を用いることなく部材の一部を切起し形成された構成を有するので、低コストで容易に加工可能である。
【００１９】
請求項４に示す発明によれば、係止凸部が別部材を用いることなく部材の一部を突起加工して形成された構成を有するので、低コストで容易に加工可能である。
【００２０】
請求項５に示す発明によれば、係止凸部がネジ頭やナット等のように入手や加工が容易な一般的な部材から成るので、低コストで容易に加工可能である。
【００２１】
請求項６に示す発明によれば、係止凹部が別部材を用いることなく部材の一部を陥没状態に加工して形成された構成を有するので、低コストで容易に加工可能である。
【００２２】
請求項７に示す発明によれば、係止凹部が別部材を用いることなく部材の一部を貫通状態に穿つことにより形成された構成を有するので、低コストで容易に加工可能である。
【図面の簡単な説明】
【００２３】
【図１】本発明に係る配管支持具用台座の一実施例を示す５面図（正面図、平面図、底面図、左側面図、Ａ−Ａ線断面図。背面図は正面図と、右側面図は左側面図と、夫々対称のため省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の５面図（正面図、平面図、底面図、左側面図、Ｃ−Ｃ線断面図。背面図は正面図と、右側面図は左側面図と、夫々対称のため省略。）
【図４】図１に示す配管支持具用台座の使用状態の一例を示す概略説明図
【図５】係止凸部の他の例を示すＤ−Ｄ線断面図（Ａ）と左側面図（Ｂ）
【図６】係止凸部の更に他の例を示す正面図（Ａ）と左側面図（Ｂ）
【図７】係止凹部の他の例を示す断面図
【図８】スライド筒体の他の例を示す底面図
【図９】支持筒体の他の例を示す平面図
【発明を実施するための形態】
【００２４】
次に、添付の図面に従って本発明を詳細に説明する。
【００２５】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２６】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面４に固定される固定板２１と、該固定板２１から立設する多角形筒体（本実施例では四角形筒体）である支持筒体２２と、を有する壁面固定部２と、
配管支持具６が載置状態で固定されるフランジ板３１と、該フランジ板３１から垂設する多角形筒体（本実施例では四角形筒体）であるスライド筒体３２と、を有する配管支持具固定部３と、
を有し、
前記支持筒体２２の内側に前記スライド筒体３２が重層状態で挿通される構成であると共に、前記フランジ板３１の高さ位置が前記吸音材・断熱材５の表面と略同等高さとなるように前記支持筒体２２に対して前記スライド筒体３２が高さ調節可能にスライドする構成であり、
前記支持筒体２２の多角形筒体の側面の少なく一つの面（本実施例では対向する２つの面）に、前記吸音材・断熱材５の厚み方向である縦方向に間隔を空けて複数個（本実施例では６個）の係止凹部２４が形成されており、
前記スライド筒体３２の多角形筒体の側面の少なくとも一つの面（本実施例では対向する２つの面）に、前記複数個の係止凹部２４の任意の箇所に入り込むことにより係止される係止凸部３３が設けられており、
前記支持筒体２２に対して前記スライド筒体３２を、前記吸音材・断熱材５の厚みに応じて厚み方向にスライドさせ、係止凹部２４と係止凸部３３との係止位置を選択して係止させることにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２７】
以下、本発明の構成について更に詳説する。
【００２８】
壁面固定部２の支持筒体２２に設けられた係止凹部２２は、図１及び図２に示すように支持筒体２２の一部を陥没状態に加工して形成した凹溝構成となっている。
【００２９】
配管支持具固定部３のスライド筒体３２に設けられた係止凸部３３は、図１及び図３に示すようにスライド筒体３２の一部を突出状態に突起加工して形成されている。
【００３０】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであるが、好ましくは重層状態で挿通される構成の支持筒体２２とすら度筒体３２は撓み性を有する構成であることが好ましい。
【００３１】
また、上記構成を有する本発明の台座１を用いる場合、図４に示すように、壁面４に貼られた吸音材・断熱材５に、該台座１が挿入可能な挿入穴を形成し、この挿入孔内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持筒体２２に対してスライド筒体３２をスライドして高さ調節を行う。フランジ板３１の高さ位置が吸音材・断熱材５の表面と略同等高さとなる位置までスライドしたら、スライド筒体３２のスライドに伴って移動する係止凸部３３を所望の位置の係止凹部２４内へ移動させて入り込むことによりフランジ板３１の高さ位置を固定することができる。尚、係止凸部３３が係止凹部２２に入り込むまでは、該係止凸部３３は係止凹部２２の形成されていない部分の支持筒体２２の表面を摺動して移動することになるが、この際、係止凸部３３の高さ（厚み）分だけ、支持筒体２２を構成する四角形筒体の４つの面の内の係止凹部２４が形成された２つの面と、スライド筒体３３を構成する四角形筒体の４つの面の内の係止凸部３３が設けられた２つの面のいずれか一方又は両方が撓むことによって、所望の位置の係止凹部２４への係止凸部３３の移動が可能となる。
固定板２１の壁面４への固定と、並びにフランジ板３１の高さ位置を吸音材・断熱材の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
尚、係止凹部２４に対して係止凸部３３を強固に係止させる構成とした場合には、壁面固定部２と配管支持具固定部３とが強固に連結された状態となるので、壁面４に対して配管Ｐを支持した配管支持具６を確実且つ強固に支持固定することができる。
尚また、係止凹部２４に対して係止凸部３３を緩い状態でガタつきを許容させた状態で係止させる構成とした場合には、この緩い係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い係止構成による緩衝機能に吸音材・断熱材５が有するクッション性が加わって二重の衝撃吸収機能を発揮するという相乗効果が生じることになる。
【００３２】
以上、本発明に係る配管支持具用台座の実施例について説明したが、本発明は上記構成に限定されず、本発明の範囲内において種々の態様を採ることができる。
【００３３】
例えば、上記実施例において、係止凹部２４が壁面固定部２の支持筒体２２に形成されると共に、係止凸部３３が配管支持具固定部３のスライド筒体３２に形成された構成であったが、本発明はかかる構成に限定されず、配管支持具固定部３のスライド筒体３２に係止凹部が形成されると共に、壁面固定部２の支持筒体２２に係止凸部が形成される構成とすることもできる。
【００３４】
また、上記実施例では、係止凹部２４が複数個設けられ、係止凸部３３が１個設けられた構成であったが、係止凹部を１個とすると共に係止凸部を複数個設ける構成とすることもできるし、係止凹部と係止凸部の両方を複数個設ける構成とすることもできる。
【００３５】
また、上記実施例では、スライド筒体３２が支持筒体２２の内側に重層状態で挿通される構成であったが、本発明はかかる構成に限定されず、支持筒体２２がスライド筒体３２の内側に重層状態で挿通される構成とすることもできる。
【００３６】
更に、係止凸部３３は、上記実施例においては突出状態に突起加工して形成した構成であったが、本発明はかかる構成に限定されず、支持筒体２２又はスライド筒体３２の一部を切起し形成した構成（図５参照）や、支持筒体２２又は前記スライド筒体３２にネジ頭やナット等の凸状の他部材を取付固定して形成した構成（図６参照）とすることもできる。
【００３７】
更に、係止凹部２４についても上記実施例の凹溝構成に限定されず、図７に示すように、支持筒体２２（又はスライド筒体３２）の一部を貫通状態に穿つことにより形成した透孔とすることもできる。更にまた、係止凹部２４の大きさについても係止凸部３３の大きさや高さ（厚み）に応じて係止可能な大きさや深さに構成することが好ましい。
【００３８】
更に、係止凸部をスライドする厚み方向である縦方向に２つ以上設け、この２つ以上の係止凸部の各々が係止凹部に入り込むことにより係止される構成とすることもできる。かかる構成によれば、厚み方向である縦方向に２つ以上設けられた係止凸部の各々が係止凹部に係止される構成を有するので、１つの係止の場合に生じ易い係止箇所を基点とするぐらつきを防止することができる。従って、より安定した状態での支持固定が可能である。
【００３９】
更に、上記実施例では、支持筒体２２とスライド筒体３２の両方を四角形筒体とした構成であったが、三角形筒体、五角形筒体、六角形筒体や七角形以上の多角形を有する筒体とすることもできる。図８は三角形筒体とした場合のスライド筒体３２を示し、図９は三角形筒体とした場合の支持筒体２２を示す。
【００４０】
更にまた、上記実施例では、四角形筒体の４つの面の内の対向する２つの面に係止凹部２４及び係止凸部３３から成る係止構成を設ける構成であったが、本発明はかかる構成に限定されず、１つの面にのみ設ける構成であってもよいし、３つの面に設ける構成や４つの全ての面に設ける構成であってもよい。尚、多角形筒体が四角形以外である場合についても２つの面に設ける構成に限らず、１つの面のみに設けてもよいし、３つ以上の面に設けてもよい。特に、四角形、六角形、八角形等のように偶数の角を有する多角形の場合、対向する２つの面に設ける構成とすることが好ましい。六角形以上の多角形の場合、対向する２つの面は１組であってもよいし、２組以上であってもよい。
【符号の説明】
【００４１】
１  配管支持具用台座
２  壁面固定部
２１  固定板
２２  支持筒体
２４  係止凹部
２５  壁面固定用孔
３  配管支持具固定部
３１  フランジ板
３２  スライド筒体
３３  係止凸部
３４  配管支持具固定用孔
３５  ドライバー挿通孔
４  壁面
５  吸音材・断熱材
６  配管支持具
７  固定手段
８  ボルト
Ｐ  配管・配線
【図１】
2020034118.tif 000003
【図２】
2020034118.tif 000004
【図３】
2020034118.tif 000005
【図４】
2020034118.tif 000006
【図５】
2020034118.tif 000007
【図６】
2020034118.tif 000008
【図７】
2020034118.tif 000009
【図８】
2020034118.tif 000010
【図９】
2020034118.tif 000011